【手続補正書】
【提出日】平成20年4月11日(2008.4.11)
【手続補正１】
【補正対象書類名】明細書
【補正対象項目名】発明の名称
【補正方法】変更
【補正の内容】
【発明の名称】情報送信サーバ、情報送信方法
【手続補正２】
【補正対象書類名】明細書
【補正対象項目名】特許請求の範囲
【補正方法】変更
【補正の内容】
【特許請求の範囲】
【請求項１】  インターネット等の通信回線を介して、情報をＷＥＢページとしてWEBブラウザが搭載された車載端末に送信する情報送信サーバであって、
各車両の運行スケジュールを記憶する運行スケジュールデータベースと、
各地域の地域情報を記憶する地域情報データベースと、
車両を特定するための車両特定情報を、前記車載端末から受信する車両特定情報受信手段と、
前記受信した車両特定情報及び前記運行スケジュールデータベースに記憶された運行スケジュールに基づいて、該車両特定情報により特定される車両の運行位置を求める運行位置特定手段と、
前記求めた運行位置に基づいて前記地域情報データベースに記憶された地域情報を検索し、検索の結果特定された地域情報を前記車載端末に送信する地域情報送信手段とを有することを特徴とする情報送信サーバ。
【請求項２】  請求項１に記載の情報送信サーバにおいて、
管制センターから車両の遅延情報を受信する遅延情報受信手段をさらに備え、
前記運行位置特定手段は、前記受信した車両特定情報、前記運行スケジュールに加え、前記受信した遅延情報に基づいて、該車両特定情報により特定される車両の、運行位置を求めることを特徴とする情報送信サーバ。
【請求項３】  請求項１又は請求項２に記載の情報送信サーバにおいて、車両を特定するための車両特定情報を、前記車載端末から一定時間毎に受信することを特徴とする情報送信サーバ。
【請求項４】  請求項１乃至請求項３のいずれか１項に記載の情報送信サーバにおいて、
前記車両特定情報は、車両を運行している会社に関する情報、及び、車両番号であることを特徴とする情報送信サーバ。
【請求項５】  請求項１乃至請求項４のいずれか１項に記載の情報送信サーバにおいて、
前記車両特定情報受信手段は、前記車載端末から前記車両特定情報が記録されたクッキーを受信することを特徴とする情報送信サーバ。
【請求項６】  携帯端末に対して情報を送信する情報送信サーバであって、
各車両の運行スケジュールを記憶するデータベースと、
各地域の地域情報を記憶する地域情報データベースと、
車両を特定するための車両特定情報を、前記携帯端末から受信する車両特定情報受信手段と、
前記受信した車両特定情報、及び、前記運行スケジュールデータベースに記憶された運行スケジュールに基づいて、該車両特定情報により特定される車両の運行位置を求める運行位置特定手段と、
前記求めた運行位置に基づいて前記地域情報データベースに記憶された地域情報を検索し、検索の結果特定された地域情報を前記携帯端末に送信する地域情報送信手段とを有することを特徴とする情報送信サーバ。
【請求項７】  請求項６に記載の情報送信サーバにおいて、
車両の遅延情報を受信する遅延情報受信手段をさらに備え、
前記運行位置特定手段は、前記受信した車両特定情報、前記運行スケジュールに加え、前記受信した遅延情報に基づいて、該車両特定情報により特定される車両の、運行位置を求めることを特徴とする情報送信サーバ。
【請求項８】  請求項６又は請求項７のいずれかに記載の情報送信サーバにおいて、
前記車両特定情報は、車両を運行している会社に関する情報、及び、車両番号であることを特徴とする情報送信サーバ。
【請求項９】  請求項１乃至請求項８のいずれか１項に記載の情報送信サーバにおいて、前記地域情報は広告情報であることを特徴とする情報送信サーバ。
【請求項１０】  インターネット等の通信回線を介して、情報をＷＥＢページとしてＷＥＢブラウザが搭載された車載端末に送信する情報送信方法であって、
サーバが、車両を特定するための車両特定情報を、前記車載端末から受信するステップと、
サーバが、前記受信した車両特定情報と予め記憶した運行スケジュールに基づいて、該車両特定情報により特定される車両の、運行位置を求めるステップと、
サーバが、前記求めた運行位置に基づいて予め記憶した地域情報を検索し、検索の結果特定された地域情報を前記車載端末に送信するステップとを有することを特徴とする情報送信方法。
【請求項１１】  携帯端末に対して情報を送信する情報送信方法であって、
サーバが、車両を特定するための車両特定情報を、前記携帯端末から受信するステップと、
サーバが、前記受信した車両特定情報と予め記憶した運行スケジュールに基づいて、該車両特定情報により特定される車両の運行位置を求めるステップと、
サーバが、前記求めた運行位置に基づいて予め地域情報を検索し、検索の結果特定された地域情報を前記車載端末に送信するステップとを有することを特徴とする情報送信方法。
【手続補正３】
【補正対象書類名】明細書
【補正対象項目名】０００１
【補正方法】変更
【補正の内容】
【０００１】
【発明の属する技術分野】
本発明は、情報送信サーバ及び情報送信方法に関する。
【手続補正４】
【補正対象書類名】明細書
【補正対象項目名】０００５
【補正方法】変更
【補正の内容】
【０００５】
本発明は、かかる課題を解決するためになされたものであり、乗客が、各車両の運行状況に即した地域情報を得ることのできる情報送信サーバ及び情報送信方法を提供することを目的とする。
【手続補正５】
【補正対象書類名】明細書
【補正対象項目名】０００６
【補正方法】変更
【補正の内容】
【０００６】
【課題を解決するための手段】
前記目的を達成するための第１の発明は、インターネット等の通信回線を介して、情報をＷＥＢページとしてWEBブラウザが搭載された車載端末に送信する情報送信サーバであって、
各車両の運行スケジュールを記憶する運行スケジュールデータベースと、
各地域の地域情報を記憶する地域情報データベースと、
車両を特定するための車両特定情報を、前記車載端末から受信する車両特定情報受信手段と、
前記受信した車両特定情報及び前記運行スケジュールデータベースに記憶された運行スケジュールに基づいて、該車両特定情報により特定される車両の運行位置を求める運行位置特定手段と、
前記求めた運行位置に基づいて前記地域情報データベースに記憶された地域情報を検索し、検索の結果特定された地域情報を前記車載端末に送信する地域情報送信手段とを有することを特徴とする情報送信サーバである。
【手続補正６】
【補正対象書類名】明細書
【補正対象項目名】０００７
【補正方法】変更
【補正の内容】
【０００７】
前記目的を達成するための第２の発明は、第１の発明に係る情報送信サーバにおいて、管制センターから車両の遅延情報を受信する遅延情報受信手段をさらに備え、
前記運行位置特定手段は、前記受信した車両特定情報、前記運行スケジュールに加え、前記受信した遅延情報に基づいて、該車両特定情報により特定される車両の、運行位置を求めることを特徴とする情報送信サーバである。
【手続補正７】
【補正対象書類名】明細書
【補正対象項目名】０００８
【補正方法】変更
【補正の内容】
【０００８】
前記目的を達成するための第３の発明は、第１又は第２の発明に係る情報送信サーバにおいて、車両を特定するための車両特定情報を、前記車載端末から一定時間毎に受信することを特徴とする情報送信サーバである。
【手続補正８】
【補正対象書類名】明細書
【補正対象項目名】０００９
【補正方法】変更
【補正の内容】
【０００９】
前記目的を達成するための第４の発明は、第１乃至第３のいずれかの発明に係る情報送信サーバにおいて、前記車両特定情報は、車両を運行している会社に関する情報、及び、車両番号であることを特徴とする情報送信サーバである。
【手続補正９】
【補正対象書類名】明細書
【補正対象項目名】００１０
【補正方法】変更
【補正の内容】
【００１０】
前記目的を達成するための第５の発明は、第１乃至第４のいずれかの発明に係る情報送信サーバにおいて、前記車両特定情報受信手段は、前記車載端末から前記車両特定情報が記録されたクッキーを受信することを特徴とする情報送信サーバである。
【手続補正１０】
【補正対象書類名】明細書
【補正対象項目名】００１１
【補正方法】変更
【補正の内容】
【００１１】
前記目的を達成するための第６の発明は、携帯端末に対して情報を送信する情報送信サーバであって、
各車両の運行スケジュールを記憶するデータベースと、
各地域の地域情報を記憶する地域情報データベースと、
車両を特定するための車両特定情報を、前記携帯端末から受信する車両特定情報受信手段と、
前記受信した車両特定情報、及び、前記運行スケジュールデータベースに記憶された運行スケジュールに基づいて、該車両特定情報により特定される車両の運行位置を求める運行位置特定手段と、
前記求めた運行位置に基づいて前記地域情報データベースに記憶された地域情報を検索し、検索の結果特定された地域情報を前記携帯端末に送信する地域情報送信手段とを有することを特徴とする情報送信サーバである。
【手続補正１１】
【補正対象書類名】明細書
【補正対象項目名】００１２
【補正方法】変更
【補正の内容】
【００１２】
前記目的を達成するための第７の発明は、第６の発明に係る情報送信サーバにおいて、車両の遅延情報を受信する遅延情報受信手段をさらに備え、
前記運行位置特定手段は、前記受信した車両特定情報、前記運行スケジュールに加え、前記受信した遅延情報に基づいて、該車両特定情報により特定される車両の、運行位置を求めることを特徴とする情報送信サーバである。
【手続補正１２】
【補正対象書類名】明細書
【補正対象項目名】００１３
【補正方法】変更
【補正の内容】
【００１３】
前記目的を達成するための第８の発明は、第６又は第７の発明に係る情報送信サーバにおいて、前記車両特定情報は、車両を運行している会社に関する情報、及び、車両番号であることを特徴とする情報送信サーバである。
【手続補正１３】
【補正対象書類名】明細書
【補正対象項目名】００１４
【補正方法】変更
【補正の内容】
【００１４】
前記目的を達成するための第９の発明は、第１乃至第８のいずれかの発明に係る情報送信サーバにおいて、を前記地域情報は広告情報であることを特徴とする情報送信サーバである。
【手続補正１４】
【補正対象書類名】明細書
【補正対象項目名】００１５
【補正方法】変更
【補正の内容】
【００１５】
前記目的を達成するための第１０の発明は、インターネット等の通信回線を介して、情報をＷＥＢページとしてＷＥＢブラウザが搭載された車載端末に送信する情報送信方法であって、
サーバが、車両を特定するための車両特定情報を、前記車載端末から受信するステップと、
サーバが、前記受信した車両特定情報と予め記憶した運行スケジュールに基づいて、該車両特定情報により特定される車両の、運行位置を求めるステップと、
サーバが、前記求めた運行位置に基づいて予め記憶した地域情報を検索し、検索の結果特定された地域情報を前記車載端末に送信するステップとを有することを特徴とする情報送信方法である。
前記目的を達成するための第１１の発明は、携帯端末に対して情報を送信する情報送信方法であって、
サーバが、車両を特定するための車両特定情報を、前記携帯端末から受信するステップと、
サーバが、前記受信した車両特定情報と予め記憶した運行スケジュールに基づいて、該車両特定情報により特定される車両の運行位置を求めるステップと、
サーバが、前記求めた運行位置に基づいて予め地域情報を検索し、検索の結果特定された地域情報を前記車載端末に送信するステップとを有することを特徴とする情報送信方である。